(57)【要約】【課題】  省電力モードに入る前に、その旨を使用者に事前に知らせ、省電力モードへの移行を延長できるようにする。【解決手段】  モード変更部１５は当該機器の動作モードを省電力モードに変更する。カウント部１１はその機器への操作入力のない期間を設定カウント値までカウントする。事前情報出力部１７は、カウント部１１のカウントがカウントアップに近づいたとき、省電力モードへの変更を報知する事前情報を外部に出力する。入力部７は事前情報の出力後にカウント部１１のカウントアップを延長する延長指示入力を受ける。モード制御部１９は、入力部７からの延長指示入力がないとき、カウント部１１のカウントアップに基づきモード変更部１５による省電力モード変更を実行制御する。モード制御部１９は、延長指示入力に基づき、カウント部１１のカウントアップを延長制御する。【選択図】  図１
2010287017.tif 000002
【特許請求の範囲】
【請求項１】
当該機器の動作モードを省電力モードに変更するモード変更部と、
前記機器への操作入力のない期間を設定カウント値までカウントするカウント部と、
このカウント部のカウントがカウントアップに近づいたとき、前記省電力モードへの変更を報知する事前情報を外部に出力する事前情報出力部と、
前記事前情報の出力後に前記カウント部のカウントアップを延長する延長指示入力を受ける入力部と、
この入力部からの前記延長指示入力がないとき、前記カウント部の前記カウントアップに基づき前記モード変更部による前記省電力モード変更を実行制御し、前記延長指示入力に基づき、前記カウント部の前記カウントアップを延長制御するモード制御部と、
を具備することを特徴とする省電力モード制御装置。
【請求項２】
前記事前情報出力部が出力する前記事前情報は、音による発音情報、表示部での表示情報、前記表示部以外の発光動作による発光情報又はこれらの組み合わせである請求項１記載の省電力モード制御装置。
【請求項３】
前記モード制御部は、前記延長指示入力の入力毎に、前記カウント部のカウントアップの延長期間を順次延長制御する請求項１又は２記載の省電力モード制御装置。
【請求項４】
前記モード制御部は、前記延長指示入力の入力毎に、前記事前情報出力部が出力する前記事前情報の報知形態を変更制御する請求項１〜３いずれか１記載の省電力モード制御装置。
【請求項５】
前記事前情報出力部は、カウントアップの数秒前に前記事前情報を外部に報知する請求項１〜４いずれか１記載の省電力モード制御装置。
【請求項６】
前記請求項１〜５いずれか１記載の省電力モード制御装置を有することを特徴とする電子機器。
【請求項７】
当該機器への操作入力のない期間を設定カウント値までカウントするカウント処理と、
このカウント処理がカウントアップに近づいたとき、前記機器における動作モードの省電力モードへの変更を報知する事前情報を外部に出力する事前情報出力処理と、
前記事前情報の出力後に前記カウントアップを延長する延長指示入力を受ける入力処理と、
前記延長指示入力に基づき、前記カウントアップを延長制御するモード制御処理と、
前記延長指示入力がないとき、前記カウントアップに基づき前記機器の動作モードを省電力モードに変更するモード変更処理と、
を具備することを特徴とする省電力モード制御方法。
【請求項８】
前記事前情報出力処理は、音による発音情報、表示部での表示情報、前記表示部以外の発光動作による発光情報又はこれらの組み合わせを出力する請求項７記載の省電力モード制御方法。
【請求項９】
前記モード制御処理は、前記延長指示入力の入力毎に、前記カウントアップの延長期間を順次延長制御する請求項７又８記載の省電力モード制御方法。
【請求項１０】
前記モード制御処理は、前記延長指示入力の入力毎に、前記事前情報出力処理による前記事前情報の報知形態を変更制御する請求項７〜９いずれか１記載の省電力モード制御方法。
【請求項１１】
前記事前情報出力処理は、カウントアップの数秒前に前記事前情報を外部に出力する請求項７〜１０いずれか１記載の省電力モード制御方法。
【発明の詳細な説明】
【技術分野】
【０００１】
本発明は省電力モード制御装置、電子機器および省電力モード制御方法に係り、動作モードを省電力モードに制御する省電力モード制御装置、これを搭載した複写機、ファクシミリ機又は複合機（ＭＦＰ：Multi Function Peripheral）等の電子機器および省電力モード制御方法の改良に関する。
【背景技術】
【０００２】
画像形成装置等の電子機器では、消費電力を規制する省エネルギー規準に適合するよう、装置に対する操作が所定期間にわたって行われないとき、起動に最低限必要な構成に電源を供給し、それ以外の構成への電源供給を一時的に遮断する省電力モード、例えばスリープモードに移行するよう構成されている。
【０００３】
ところが、より一層の省電力化を図る観点から、スリープモードへ移行するまでのスリープモード移行期間の短縮化が求められており、スリープモード移行期間を短縮しないと、省エネルギー規準を達成できないことがある。
【０００４】
このようなスリープモード移行期間の短縮化の要請が強い状況の下で、使用者には、スリープモードへ移行するタイミングの分からない場合が多く、定期的に画像形成装置を使用するとき、画像形成装置が頻繁にスリープモードに移行してしまうと、再起動の際、装置が安定するまでのウォームアップ時間が必要であったり起動用の駆動音が発生し、使用者にとって煩わしく感たり、操作に不快な思いをする心配がある。
【０００５】
そこで、例えば特開平６−３３７７３９号公報（特許文献１）のようなコンピュータシステムが提案されている。
【０００６】
この特許文献１は、オペレータの入力操作によりデータを入力する入力手段と、オペレータを検知するセンサ手段と、その入力手段の非入力操作状態が所定の設定時間の経過後にオートパワーオフ処理を実行し、非入力操作時にそのセンサ手段によりオペレータを検知したときには設定時間を増大した時間経過後にオートパワーオフ処理を実行するオートパワーオフ制御手段とを具備し、オペレータの存在又は不在に従って、オートパワーオフ処理の設定時間を変化させて、オペレータの操作性を向上させようとするものである。
【先行技術文献】
【特許文献】
【０００７】
【特許文献１】特開平６−３３７７３９号公報
【発明の概要】
【発明が解決しようとする課題】
【０００８】
しかしながら、上述した特許文献１では、機器近傍のオペレータを検知するセンサ手段によりオペレータの存在を検知してオートパワーオフ時間を延長させるが、実際は、オペレータがオートパワーオフの延長を望んでいるか否か明確に判別できず、オペレータが望むタイミングで適切にオートパワーオフさせることができない。
【０００９】
そこで、本発明者は、画像形成装置等の構成および使用態様を鋭意観察検討した結果、省電力モードへ移行するタイミングに先立ち、使用者に対して事前情報を発することにより、使用者の希望に沿った省電力モード移行が可能となる点に着目し、本発明を完成させた。
【００１０】
本発明はそのような課題を解決するためになされたもので、機器が省電力モードに入る前に、その旨使用者に事前に報知させることが可能で、省電力モードへの移行を延長させて不必要に省電力モードに入ることを抑え、効率的な省エネルギー対応も可能な省電力モード制御装置、これを搭載した電子機器および省電力モード制御方法の提供を目的とする。
【課題を解決するための手段】
【００１１】
そのような課題を解決するために本発明の請求項１に係る省電力モード制御装置は、当該機器の動作モードを省電力モードに変更するモード変更部と、その機器への操作入力のない期間を設定カウント値までカウントするカウント部と、このカウント部のカウントがカウントアップに近づいたとき、省電力モードへの変更を報知する事前情報を外部に出力する事前情報出力部と、その事前情報の出力後にカウント部のカウントアップを延長する延長指示入力を受ける入力部と、この入力部からの延長指示入力がないとき、そのカウント部のカウントアップに基づきそのモード変更部による省電力モード変更を実行制御し、その延長指示入力に基づき、そのカウント部のカウントアップを延長制御するモード制御部とを具備している。
【００１２】
本発明の請求項２に係る省電力モード制御装置は、上記事前情報出力部が出力する事前情報として、音による発音情報、表示部での表示情報、その表示部以外の発光動作による発光情報又はこれらの組み合わせで構成可能である。
【００１３】
本発明の請求項３に係る省電力モード制御装置は、上記モード制御部が、その延長指示入力の入力毎に、そのカウント部のカウントアップの延長期間を順次延長制御する構成を有している。
【００１４】
本発明の請求項４に係る省電力モード制御装置は、上記モード制御部が、その延長指示入力の入力毎に、その事前情報出力部が出力する事前情報の報知形態を変更制御する構成を有している。
【００１５】
本発明の請求項５に係る省電力モード制御装置は、上記事前情報出力部が、カウントアップの数秒前に事前情報を外部に出力する構成を有している。
【００１６】
本発明の請求項６に係る電子機器は、それら請求項１〜５いずれか１記載の省電力モード制御装置を有して構成されている。
【００１７】
本発明の請求項７に係る省電力モード制御方法は、当該機器への操作入力のない期間を設定カウント値までカウントするカウント処理と、このカウント処理がカウントアップに近づいたとき、その機器における動作モードの省電力モードへの変更を報知する事前情報を外部に出力する事前情報出力処理と、その事前情報の出力後にカウントアップを延長する延長指示入力を受ける入力処理と、その延長指示入力に基づきカウントアップを延長制御するモード制御処理と、その延長指示入力がないとき、カウントアップに基づき機器の動作モードを省電力モードに変更するモード変更処理とを具備している。
【００１８】
本発明の請求項８に係る省電力モード制御方法は、上記事前情報出力処理が、音による発音情報、表示部での表示情報、表示部以外の発光動作による発光情報又はこれらの組み合わせを出力する構成を有している。
【００１９】
本発明の請求項９に係る省電力モード制御方法は、上記モード制御処理が、その延長指示入力の入力毎に、そのカウントアップの延長期間を順次延長制御する構成を有している。
【００２０】
本発明の請求項１０に係る省電力モード制御方法は、上記モード制御処理が、その延長指示入力の入力毎に、その事前情報出力処理による事前情報の報知形態を変更制御する構成を有している。
【００２１】
本発明の請求項１１に係る省電力モード制御方法は、上記事前情報出力処理が、カウントアップの数秒前にその事前情報を外部に出力する構成を有している。
【発明の効果】
【００２２】
このような本発明の請求項１、７に係る省電力モード制御装置および省電力モード制御方法では、省電力モードへ変更するまでの期間のカウント処理がカウントアップに近づいたとき、その機器の動作モードを省電力モードへ変更する事前情報を外部に出力し、その事前情報の出力後にウントアップを延長する延長指示入力を受ければ、その延長指示入力に基づきカウントアップを延長制御し、その延長指示入力がないとき、カウントアップに基づき機器の動作モードを省電力モードに変更するから、省電力モードに入る前に、その旨使用者に事前に知らせることが可能で、使用者の選択に応じて省電力モードへの移行を延長させ、不必要に省電力モードに入ることを抑え、効率的な省エネルギー動作が可能になる。
【００２３】
本発明の請求項２、８に係る省電力モード制御装置および省電力モード制御方法では、音による発音情報、表示部での表示情報、表示部以外の発光動作による発光情報又はこれらの組み合わせを出力するから、種々の使用者や設置環境に対応させ、省電力モードに入る旨の事前情報を的確に報知することが可能である。
【００２４】
本発明の請求項３、９に係る省電力モード制御装置および省電力モード制御方法では、延長指示入力の入力毎に、そのカウントアップの延長期間を順次延長制御するから、機器を長期間連続して使用する場合、省電力モードへの移行の報知回数が減少し、煩わしさが軽減される。
【００２５】
本発明の請求項４、１０に係る省電力モード制御装置および省電力モード制御方法では、その延長指示入力の入力毎に、その事前情報出力処理による事前情報の形態を変更制御するから、種々の使用者や設置環境に対応させ、省電力モードに入る旨の事前情報を的確に報知することが可能である。
【００２６】
本発明の請求項５、１１に係る省電力モード制御装置および省電力モード制御方法では、カウントアップの数秒前にその事前情報を外部に出力するから、本来の省電力モードへの移行制御の支障になり難い。
【図面の簡単な説明】
【００２７】
【図１】本発明に係る省電力モード制御装置を電子機器（画像形成装置）とともに実施の形態を示す概略ブロック図である。
【図２】本発明に係る電子機器（画像形成装置）の内部構成を示す要部構成図である。
【図３】本発明に係る電子機器（画像形成装置）の操作パネル部を示す図である。
【図４】本発明に係る省電力モード制御装置の動作を説明する図である。
【図５】本発明に係る省電力モード制御装置の動作を説明するフローチャートである。
【発明を実施するための形態】
【００２８】
以下、本発明に係る省電力モード制御装置、電子機器および省電力モード制御方法の実施の形態を図面を参照して説明する。
【００２９】
なお、本発明の省電力モード制御装置および省電力モード制御方法は、本発明の電子機器としての画像形成装置を説明する過程で説明する。
【００３０】
図１は本発明に係る電子機器の一例である画像形成装置の実施の形態を示す概略ブロック図である。
【００３１】
図１において、本発明に係る画像形成装置Ａは、主制御部１を中心にして画像読取部３、記憶部５、操作パネル部７、通信部９、印刷部１１、カウント部１３、モード変更部１５、事前情報出力部１７およびモード制御部１９を有し、電子機器としての例えば複合機を構成している。なお、画像形成装置Ａとしてはこれ以外にも種々の構成を有するが、本発明の要部ではないので説明および図示を省略する。
【００３２】
主制御部１は、画像読取部３、記憶部５、操作パネル部７、通信部９、印刷部１１、カウント部１３、モード変更部１５、事前情報出力部１７およびモード制御部１９を制御するものであるが、詳細は後述する。
【００３３】
画像読取部３は、図２に示すように、画像形成装置Ａの本体ケース２１の上部に配置され、主制御部１の制御の下、例えば印刷された原稿から画像に発光部（図示せず）から光を照射して光学的に読み取り、フィルタ処理等をして文字を含む電子的画像データを生成するスキャナ等の画像入力部であり、生成した画像データが原稿の頁毎に記憶部５に順次記憶されるようになっている。
【００３４】
図１に戻って、記憶部５は、画像読取部３および通信部９からの画像データ、主制御部１の動作プログラムの他、後述するように省電力モードであるスリープモードへ移行するまでの標準（デフォルト）カウント期間（Ｔ：カウント値）、第１および第２のカウント延長期間（Ｔ１、Ｔ２：カウント値）等を格納する読み書き可能な例えばハードディスク（ＨＤＤ）である。
【００３５】
操作パネル部７は、図２に示すように、画像形成装置Ａの本体ケース２１の上部に配置され、画像形成装置Ａの動作状態を表示する液晶タイプの表示部と、タッチスイッチタイプの入力部を兼ねた画像表示入力部であり、主制御部１によって画像表示制御されるとともに、入力指示が主制御部１に出力される。
【００３６】
すなわち、操作パネル部７は、例えば図３に示すように、印刷（印字、コピー）処理、プリンタ処理、スキャナ処理、ファックス処理等の種々の操作指示や選択をする選択キー７ａ、それらの操作に係る動作機能の設定、変更等を入力する公知のテンキー７ｂ、スタートキー７ｃ、表示パネル部７ｄ等を有している。
【００３７】
表示パネル部７ｄは、種々の動作情報を表示するとともに、スリープモードに移行する旨の文字説明文情報とスリープモードに移行させずに動作状態を延長するか否かの選択を促す情報からなる事前情報を表示する表示部としての機能を有する一方、延長指示入力を受け付ける延長キー７ｅを有して入力部としての機能も有している。
【００３８】
通信部９は、主制御部１の制御の下、図示しないネットワークを介して例えば情報処理装置（コンピュータ）や他の画像形成装置との間で、印刷データ、ファクシミリ原稿又は電子メール等のデータを送受信するインターフェース部である。
【００３９】
印刷部１１は、図２に示すように、画像形成装置Ａの本体ケース２１内に配置され、複数の給紙段２３ａ、２３ｂから給紙ローラ２５で用紙を１次給紙し、その用紙をレジストローラ２７で２次給紙してブラック、マゼンタ、シアンおよびイエローの４色の画像形成ユニット（画像形成部）２９ｂ、２９ｍ、２９ｃ、２９ｙで画像データを用紙にカラー転写し、定着ローラ３１から胴内の排紙トレイ３３に排紙する印刷エンジンである。
【００４０】
なお、図２では、カウント部１３、モード変更部１５、事前情報出力部１７およびモード制御部１９を本体ケース２１から抜き出して示した。
【００４１】
図１のカウント部１３は、主制御部１の制御の下、操作パネル部７における機器への操作入力のない期間を標準カウント期間（Ｔ：カウント値）までカウントする機能を有し、カウントアップしたとき、カウントアップ信号を出力するようになっている。設定カウント値は記憶部５から取り込まれる。
【００４２】
カウント部１３は、後述するように、モード制御部１９からの延長指示入力があったとき、カウントをリセットして再度カウント開始する機能を有するとともに、図４に示すように、初期の標準カウント期間Ｔに対して付加期間を加算した第１、第２のカウント期間（Ｔ１、Ｔ２：カウント値）までカウントし、カウントアップしたときカウントアップ信号を出力するようになっている。
【００４３】
モード変更部１５は、主制御部１の制御の下、カウント部１３からのカウントアップ信号に基づき、起動に最低限必要な構成にのみ電源を供給する一方、それ以外の構成への電源供給を一時的に遮断する動作モードである省電力モード、例えばスリープモードに移行制御する機能を有している。
【００４４】
具体的には、カウント部１３からのカウントアップ信号が入力されたとき、モード変更部１５は、画像読取部３の他、印刷部１１において、給紙ローラ２５、レジストローラ２７、画像形成ユニット２９ｂ〜２９ｙおよび定着ローラ３１への電源供給を遮断制御し、画像読取部３や印刷部１１以外の主制御部１、記憶部５、操作パネル部７等への電源供給を維持制御するスリープモードへの移行機能を有している。
【００４５】
事前情報出力部１７は、主制御部１の制御の下、カウント部１３におけるカウント値を監視し、カウントアップする数秒前に到達したとき、スリープモードに移行する旨の情報とスリープモードに移行させずに動作状態を延長するか否かの選択を促す事前情報として、警報音を外部に発音して出力するブザー機能を有している。
【００４６】
事前情報出力部１７は、上述したように事前情報を表示パネル部７ｄに表示制御する機能も有している。すなわち、上述した表示パネル部７ｄも事前情報出力部として機能する。
【００４７】
モード制御部１９は、主制御部１の制御の下、延長キー７ｅから延長指示入力が入力されないとき、カウント部１３のカウントアップ信号に基づきモード変更部１５によるスリープモード移行を実行制御する機能を有する一方、事前情報の出力後、カウントアップ信号の出力前に、延長キー７ｅから延長指示入力があったとき、カウント部１３のカウントアップを延長制御する機能を有している。
【００４８】
主制御部１は、ＣＰＵ、このＣＰＵの起動プログラムを格納したメモリ部、入出力インターフェース（いずれも図示せず。）を有し、上述した画像読取部３、記憶部５、通信部９、操作パネル部７、印刷部１１、カウント部１３、モード変更部１５、事前情報出力部１７およびモード制御部１９を制御している。
【００４９】
すなわち、主制御部１は、画像読取部３および通信部９からの画像データを記憶部５に記憶制御し、操作パネル部７における動作表示やカラー印刷又はモノクロ印刷の入力指示を制御し、画像データを記憶部５から印刷部１１に送って印刷制御するとともに、カウント部１３からカウント値を事前情報出力部１７およびモード制御部１９に出力制御し、モード制御部１９からの情報をモード変更部１５に出力して各々の動作を担っている。
【００５０】
次に、上述した本発明に係る画像形成装置の動作を図５のフローチャートを参照して説明する。
【００５１】
動作プログラムが開始されると、ステップＳ１において、操作パネル部７における操作終了すると、カウント部１３がスリープモード移行期間のカウントを開始（カウント処理）してステップＳ２に移る。当初は、記憶部５から取り込まれた標準カウント期間Ｔでカウント開始する。
【００５２】
ステップＳ２では、事前情報出力部１７がカウント部１３のカウント値を監視し、カウント部１３における標準カウント期間Ｔのカウントアップする数秒前に到達したとき、事前情報出力部１７がスリープモードに移行する旨を報知する事前情報を発音するとともに、スリープモードに移行する旨の情報とスリープモードに移行させずに動作状態を延長するか否かの選択を促す事前情報を表示パネル部７ｄに表示し（事前情報出力処理）、ステップＳ３に移る。
【００５３】
ステップＳ３では、延長キー７ｅから延長指示入力の有無が判別され、延長キー７ｅから延長指示入力（入力処理）があってステップＳ３がＹＥＳであればステップＳ４に移り、モード制御部１９がカウント部１３のスリープ延長期間を図４のように第１のカウント期間Ｔ１に設定し（モード制御処理）、ステップＳ５に移る。
【００５４】
ステップＳ５では、カウント部１３が第１のカウント期間Ｔ１をカウント開始（カウント処理、モード制御処理）してステップＳ２に戻る。
【００５５】
なお、操作パネル部７から何らかの操作が入力されたときには、図４に示すように、その操作期間を経て第１のカウント期間Ｔ１のカウントを開始し、再度、延長キー７ｅから延長指示入力（入力処理）があってステップＳ３がＹＥＳになれば、ステップＳ４にて第２のカウント期間Ｔ２でカウント開始する。以降、これが繰り返される。
【００５６】
ステップＳ３において、延長キー７ｅからの延長指示が放置され、延長指示入力がなくてステップＳ３がＮＯであれば、ステップＳ６にてモード制御部１９が表示パネル部７ｄの事前情報の表示を削除するとともに、ステップＳ７にてモード変更部１５が装置をスリープモードに移行制御（モード変更処理）して終了する。
【００５７】
そして、これらの処理過程が本発明に係るデータ表示選択制御方法に相当する。
【００５８】
このように本発明の省電力モード制御装置は、当該機器の動作モードをスリープモードに変更するモード変更部１５と、その機器への操作入力のない期間を設定カウント値までカウントするカウント部１１と、このカウント部１１のカウント値がカウントアップ数秒前になったとき、省電力モードへの変更を報知する事前情報を外部に出力する事前情報出力部１７（操作パネル部７）と、その事前情報の出力後にカウント部１１のカウントアップを延長する延長指示入力を受ける操作パネル部（入力部）７と、この操作パネル部７からの延長指示入力がないとき、そのカウント部１１のカウントアップに基づきそのモード変更部１５によるスリープモード変更を実行制御し、その延長指示入力に基づき、そのカウント部１１のカウントアップを延長制御するモード制御部１９とを具備している。
【００５９】
そのため、スリープモード（省電力モード）に入る前に、その旨使用者に事前に知らせることが可能で、スリープモードへの移行を延長させて不必要にスリープモードに入ることを抑え、使用者の望むタイミングにスリープモード移行時期を設定するとともに、効率的な省エネルギー動作も確保可能である。
【００６０】
しかも、カウントアップの数秒前にその事前情報を外部に出力するから、本来のスリープモードへの移行制御の支障になり難いし、事前情報出力部１７および操作パネル部によって、事前情報として警報音の発音および説明文表示で外部へ出力するから、使用者に対して確実に認知させることが可能である。
【００６１】
事前情報の報知形態としては、音による発音情報、表示部での表示情報、その表示部以外の発光動作による発光情報又はこれらの組み合わせで構成可能であり、種々の使用者や設置環境に対応させ、スリープモードに入る旨の事前情報を的確に認知させることが可能である。
【００６２】
発光動作による発光情報としては、例えば、画像読取部３に具備する発光部（図示せず。）の点滅よる構成も可能である。
【００６３】
また、モード制御部１９が、図４に示すように、その延長指示入力の入力毎に、カウント部１１のカウントアップの延長期間を順次延長制御する構成にすれば、機器を長期間使用する場合、スリープモードへの移行の報知回数が減少し、煩わしさが軽減される。
【００６４】
さらに、本発明に係る省電力モード制御装置では、その延長指示入力の入力毎に、事前情報出力部１７、操作パネル部７が出力する事前情報の報知形態を、発音情報、表示情報又は発光情報の間で交互に変更する構成も可能であり、これに合わせてモード制御部１９、事前情報出力部１７および操作パネル部７を形成すればよい。
【００６５】
なお、本発明の省電力モード制御装置では、スリープモード以外の種々のレベルの省電力モードに対応可能である。
【００６６】
本発明に係る電子機器は、上述したように原稿読取部３および印刷部１３を有する画像形成装置Ａに限らず、パソコン、電子ゲーム機器その他、電子データを処理する機器において、上述した何れかの省電力モード制御装置を搭載して広く応用可能である。
【００６７】
さらに、本発明のデータ表示選択制御方法においても、上述した省電力モード制御装置と同様の効果を得ることが可能である。
【符号の説明】
【００６８】
１  主制御部
３  画像読取部
５  記憶部
７  操作パネル部（事前情報出力部）
７ａ  選択キー
７ｂ  テンキー
７ｃ  スタートキー
７ｄ  表示パネル部（事前情報出力部）
７ｅ  延長キー
９  通信部
１１  印刷部
１３  カウント部
１５  モード変更部
１７  事前情報出力部
１９  モード制御部
２１  本体ケース
２３ａ。２３ｂ  給紙段
２５  給紙ローラ
２７  レジストローラ
２９ｂ、２９ｍ、２９ｃ、２９ｙ  画像形成ユニット（画像形成部）
３１  定着ローラ
３３  排紙トレイ
Ａ  画像形成装置（複合機：電子機器）
【図１】
2010287017.tif 000003
【図２】
2010287017.tif 000004
【図３】
2010287017.tif 000005
【図４】
2010287017.tif 000006
【図５】
2010287017.tif 000007